(57)【要約】      （修正有）【課題】会員、スポンサー、運営母体が利益を共有できるリードメールサービスを提供。【解決手段】サービスシステムを運営する運営母体と、広告及び資金を提供するスポンサーと、前記運営母体に登録手続をした会員とから構成され、前記スポンサーは運営母体との取り決めに基づき成功報酬を支払い、前記会員は自分の行うポイント獲得行為に応じて報酬を得るリードメールサービスであって、前記会員は会員を紹介し、登録手続を行った子会員がポイント獲得行為を行った際に、所定ポイントを得るとともに、前記子会員が会員を紹介し、登録手続を行った孫会員がポイント獲得行為を行った際には、所定のポイントを得るので、会員は利益を得るとともに、スポンサーはアフィリエイト契約に基づき運営母体に広告、サービスに応じた金額を支払い、効果的な宣伝効果を得、運営母体はスポンサーから得た金額の一部を会員にポイントに比例して還元し、残余を自己利益とする。【選択図】図１
2007004345.tif 000002
【特許請求の範囲】
【請求項１】
サービスシステムを運営する運営母体と、
広告及び資金を提供するスポンサーと、
前記運営母体に登録手続をした会員とから構成され、
前記スポンサーは、運営母体との取り決めに基づき成功報酬を支払い、
前記会員は、自分の行うポイント獲得行為に応じて報酬を得ることのできるリードメールサービスであって、
前記会員は、自から前記運営母体に会員を紹介し、且つ会員としての登録手続を行った者（以下子会員という）がポイント獲得行為を行った際には、所定のポイントを得るとともに、
前記子会員が前記運営母体に会員を紹介し、且つ会員としての登録手続を行った者（以下孫会員という）がポイント獲得行為を行った際には、所定のポイントを得ることを特徴とするリードメールサービス。
【請求項２】
前記ポイント獲得行為は、運営母体の配信するメールに記載されたスポンサーサイトの閲覧であることを特徴とする請求項１に記載のリードメールサービス。
【請求項３】
前記ポイント獲得行為は、運営母体の配信するメールに記載されたスポンサーサイトにおいて、入会手続、資料の請求、商品の購入等のポイント付与条件を満たす行為を行うことを特徴とする請求項１に記載のリードメールサービス。
【請求項４】
前記孫会員の数を一定数に制限することを特徴とする請求項１〜３の何れか１に記載のリードメールサービス。
【発明の詳細な説明】
【技術分野】
【０００１】
本発明は、企業の広告を運営母体が電子メールで各会員に配信し、会員はその広告を見ること、或いは広告先の運営するサイトに入会することにより、企業からの広告料の一部を獲得することのできるリードメールサービスに関するものである。
【背景技術】
【０００２】
従来のリードメールサービスでは、例えば、各会員が運営母体からメールを受け取る度に何円かの報酬を受け取り、この報酬を月毎或いは所定金額に達した場合に払い出すことができるものであった。
【発明の開示】
【発明が解決しようとする課題】
【０００３】
しかし、従来のリードメールサービスでは、運営母体は会員数の獲得にその労力を費やす必要があった。また、会員にとってもメールを読むことのできる件数に限りがあり、その魅力に乏しいものであった。
【０００４】
この発明は、上記に鑑み提案されたもので、会員の受け取る報酬を本人の獲得した報酬だけでなく、会員の紹介した子会員及び孫会員の獲得する報酬に応じた報酬を獲得することのできるマルチレベルマーケィング（ＭＬＭ）を応用したリードメールサービスを提供することを目的とするものである。
【課題を解決するための手段】
【０００５】
上記目的を達成する為に、本発明のリードメールサービスは、サービスシステムを運営する運営母体と、広告及び資金を提供するスポンサーと、前記運営母体に登録手続をした会員とから構成され、前記スポンサーは、運営母体との取り決めに基づき成功報酬を支払い、前記会員は、自分の行うポイント獲得行為に応じて報酬を得ることのできるリードメールサービスであって、前記会員は、自から前記運営母体に会員を紹介し、且つ会員としての登録手続を行った子会員がポイント獲得行為を行った際には、所定のポイントを得るとともに、前記子会員が前記運営母体に会員を紹介し、且つ会員としての登録手続を行った孫会員がポイント獲得行為を行った際には、所定のポイントを得ることを特徴としている。
【０００６】
また、請求項２に記載の発明において、前記ポイント獲得行為は、運営母体の配信するメールに記載されたスポンサーサイトの閲覧であることを特徴とする。
【０００７】
また、請求項３に記載の発明において、前記ポイント獲得行為は、運営母体の配信するメールに記載されたスポンサーサイトにおいて、入会手続、資料の請求、商品の購入等のポイント付与条件を満たす行為を行うことを特徴とする。
【０００８】
また、請求項４に記載の発明において、前記孫会員の数を一定数に制限することを特徴とする。
【発明の効果】
【０００９】
この発明は上記した構成からなるので、以下に説明するような効果を奏することができる。 
【００１０】
本発明では、サービスシステムを運営する運営母体と、広告及び資金を提供するスポンサーと、前記運営母体に登録手続をした会員とから構成され、前記スポンサーは、運営母体との取り決めに基づき成功報酬を支払い、前記会員は、自分の行うポイント獲得行為に応じて報酬を得ることのできるリードメールサービスであって、前記会員は、自から前記運営母体に会員を紹介し、且つ会員としての登録手続を行った子会員がポイント獲得行為を行った際には、所定のポイントを得るとともに、前記子会員が前記運営母体に会員を紹介し、且つ会員としての登録手続を行った孫会員がポイント獲得行為を行った際には、所定のポイントを得るので、会員は自分のポイント獲得行為のみならず、子会員、孫会員のポイント獲得行為によってもポイントを獲得することができ、大きな利益を得ることができる。したがって、魅力的なリードメールサービスとすることができる。
【００１１】
また、本発明において前記ポイント獲得行為は、運営母体の配信するメールに記載されたスポンサーサイトの閲覧であるので、スポンサーの宣伝広告機能を充分に発揮することができる。
【００１２】
また、本発明において前記ポイント獲得行為は、運営母体の配信するメールに記載されたスポンサーサイトにおいて、入会手続、資料の請求、商品の購入等のポイント付与条件を満たす行為を行うことなので、スポンサーのサイトによって、或いはその行為毎に獲得ポイントの単価を変えることができる。したがって、スポンサーは受ける利益に応じて会員に与えるポイント数を決定することができる。
【００１３】
また、本発明では、前記孫会員の数を一定数に制限するので、会員の獲得するポイントが無制限に拡大するのを防止することができる。
【発明を実施するための最良の形態】
【００１４】
以下、本発明の一実施の形態を示す図面に基づいて本発明を詳細に説明する。図１は本発明に係るリードメールサービスの基本構成を示す説明図、図２は本発明のリードメールサービスの相互関係を示す説明図、図３は本発明のリードメールサービスの出金請求手続を示す説明である。ここで、リードメールサービスは、サービスシステムを運営する運営母体１０と、広告及び資金を提供するスポンサー１１と、前記運営母体１０に登録手続をした会員１２とから構成される。スポンサー１１は、運営母体１０との取り決めに基づき成功報酬を支払い、前記会員１２は、自分の行うポイント獲得行為に応じて報酬を得ることのできるものであって、前記会員１２は、自から前記運営母体１０に他の会員を紹介し、且つ会員としての登録手続を行った子会員１３がポイント獲得行為を行った際には、所定のポイントを得るとともに、前記子会員１３が前記運営母体１０に他の会員を紹介し、且つ会員としての登録手続を行った孫会員１４がポイント獲得行為を行った際には、所定のポイントを得ることができる。
【００１５】
運営母体１０は、スポンサー１１に提携を申し込む。申し込みが受け入れられると、両者の間でアフィリエイト契約を行う。スポンサー１１は、運営母体１０に配信する広告を提供する。一方、運営母体１０は会員１２集めて集客を行う。会員Ａは、ダウンの会員Ｂを紹介、勧誘して登録させる。会員Ｂも順次自己のダウンの会員を紹介、勧誘して登録させる。ダウンの会員は、自己のポイント獲得に寄与することより、会員は積極的に紹介、勧誘を行い会員の数が飛躍的に増大する。
【００１６】
「広告配信の仕組み」
Ａ．クリック保証
運営母体１０は、メールにクリック保証の広告を載せて登録された会員に配信する。マルチレベルを３世代とし、還元率を５１％にした場合、会員はメールに掲載された広告のＵＲＬをクリックしてサイトを開くことで、１人当たりの広告料の１７％のお金が貯まる。クリック保証の１クリック当たり１０円の広告では、１．７円が貯まることとなる。広告料の残り４９％が運営母体の収益となる。実際には、３世代の許容人数が満員になった場合の還元率が５１％であるので、全体の還元率はこれより低くなる場合が多い。
Ｂ．成功保証
成功保証の広告も同様にメールで会員に配信する。成功保証の場合の還元方法もクリック保証と同様である。例えば、運営母体１０の配信するメールに記載されたスポンサーサイトにおいて、無料の会員登録を行う入会手続、有料の会員登録を行う入会手続、資料の請求、商品の購入等のスポンサーがポイント付与条件として定めた行為を行うことを云う。ただし、成功保証の場合は、広告料の単価が高いので、各会員に還元される金額、及び運営母体の収益も大きい。
【００１７】
「ＭＬＭの仕組み」  
先ず、一人がホームぺージから会員登録をする。この会員１２が第１世代となる。この会員１２（第１世代）は、自己が友達等にサービスの存在を紹介し、登録を勧誘することにより入会してもらう。これが子会員１３（第２世代）となる。会員１２は、自分の子会員１３（第２世代）の数を自由に増やすことができる。また、子会員１３（第２世代）も友達等を紹介、勧誘することにより自分の子会員１３（第２世代）の数を自由に増やすことができる。子会員１３の子会員は、会員１２（第１世代）にとって孫会員１４（第３世代）となる。図４に示すように第１世代であるＡさんにとって、Ａさんから見て第２世代であるＢさんのクリック行為はポイントになるが、第４世代であるＣさんのクリック行為はポイントにならない。なお、この実施例では、第３世代までをポイント獲得範囲としたが、これに限ることなく第４世代、第５世代までをポイント獲得範囲としてもよい。更に、運営母体１０は、孫会員１４（第３世代）の第１世代のポイント獲得に寄与する数を一定数以下に制限することができる。
【００１８】
図５は、本発明のリードメールサービスの各世代の人数と１人１ケ月の還元額（ポイント）を示す説明図である。第２世代数が７７人、第３世代数が最大７７×７７＝５,９２９人、還元率を１７％とした場合の例を示すものである。還元する割合は、ＭＬＭを何世代まで有効にするか、広告料の何％を会員に還元するかによって変動するが、本実施例では第３世代まで有効にしたもので、一人当たり１７％の還元率で、ＭＬＭのネットワークが完全に出来ていた場合で全体の広告費の約５１％が会員に還元される。一人で紹介できる人数を７７人とした場合、一人の下に３世代までで本人と合わせて６,００７人の会員が１７％づつ還元されるので、月に１,０００円分の広告を配信したとして、第１世代の会員は、最大１,０２１,１９０円の収入を得ることができる。また、還元率はどの世代に入っても一定であり、会員はどの世代から始めても、自分から３世代分までが還元されるので、会員に入る順番による有利不利はない。
【００１９】
図６（ａ）は、本発明のリードメールサービスにおけるメールの一例である。ここに示すようなメールを運営母体１０が会員１２に発送する。「件名」には、運営母体１０の名称、スポンサーの広告名が掲載される。また、本文には、各会員の名前が記載される。名前は、メールアドレスの＠より前が使用される。○○○さんの部分は、個人毎に自動で作成する。広告管理画面で下線部分を設定し、広告を作成する際に自動挿入されるようにする。最後に会員用ぺージのログインＵＲＬを記載し、ポイントの確認、第２、３世代の確認、成功保証の広告の閲覧へ誘導する。
【００２０】
また、図６（ｂ）はサイトの広告の一例を示す説明図である。サイトの広告は、トップに広告タイトルを記載する。広告の内容は、広告からセールスポイントを引用して作成する。広告管理画面で下線の部分を設定し、広告を作成する際に自動挿入されるようにする。対象項目は、広告タイトル、広告の内容、ポイント、ＵＲＬである。
【００２１】
図７は、本発明のリードメールサービスにおける各スポンサーのアフィリエイト金額の例を示す説明図である。例えば、Ａバンクの場合は、広告の種類は銀行口座であり口座の申し込みによる成功保証で、金額は１５０円である。Ｂ信販の場合は、広告の種類はクレジットでありカードの申し込みによる成功保証で、金額は２０００円である。△旅行．ｃｏｍの場合は、広告の種類は旅行でありホテルの予約による成功保証で、金額は予約代金の３％である。◆ホテルの場合は、広告の種類は旅行であり、ＵＲＬをクリックすることによるクリック保証で、金額は１円である。○●水産の場合は、広告の種類はグルメであり商品購入の申し込みによる成功保証で、金額は商品金額の２０％である。☆▽出版の場合は、広告の種類はグルメでありレストラン予約の申し込みによる成功保証で、金額は３００円である。
【００２２】
「企画のメリット」  
本発明において、広告自体がコンテンツなので、有料サイトを運営する場合に比べてコンテンツの作成にかかる費用・時間を抑えることができる。これによって中間コストを安くできる。また、７７人づつ紹介する３世代のピラミッドが完全に完成して、それが何世代も続いた場合には還元率が広告総額の限りなく５１％に近くなるが、常に紹介しつづけなければならないので、ピラミッドが完成することは殆どない。また、途中で換金せずに止めたり、ピラミッドが完成しないところがあるので、還元率が５１％になることは殆どない。更に、ＭＬＭなので、一旦、広まり始めれば爆発的に広まる可能性がある。
【００２３】
「会員登録の流れ」
次に、会員登録の具体的な流れについて説明する。先ず、第１世代が運営母体１０のホームぺージを閲覧し、会員登録をする。ホームぺージのトップぺージにある会員登録画面には、入力項目としてメールアドレス、ユーザーＩＤ、パスワード、生年月日、性別、郵便番号、職業、結婚、住まい、年収、趣味（複数）等がある。これらの事項を記載して送信する。
所定事項を記載して送信すると、仮登録メールが運営母体１０から発送される。仮登録メールのＵＲＬをクリックすることで本登録が成される。本登録が成されると正式に会員１２となり、会員用ホームぺージにアクセスすることができる。また、入会宣伝ウエブぺージを利用した紹介方法としては、各会員に宣伝用ぺージを自動作成する。宣伝用ぺージの構成は、サービスへの勧誘ぺージ、入会用フォームのぺージから成る。各会員は、そのぺージを利用し、サービス内容を広く宣伝することができる。その宣伝ぺージを見て、会員登録しようとする会員は、会員紹介フォームから第１世代と同様な方法で会員登録することができ、紹介した会員の下の世代となる。
【００２４】
「友人等を直接紹介する方法」
会員用ホームぺージの紹介用フォームには、紹介者のコードの付いたホームぺージのＵＲＬが本文に載ったメールが作成出来るリンクを張る（mailto）。次に、紹介される人の携帯へ直接メールする。紹介された人は、直接受け取ったメールの中のＵＲＬからアクセスし、同様の方法で登録する。
【００２５】
「会員管理システムについて」
会員登録情報の中に、その会員の上の２世代分のフラグが付くようにする必要がある。第４世代目からは、第１世代目の情報を切り離して、新たに１世代付け加えるという方法が必要である。また、システム上は、直接使用しないが２世代目以降も切り離さないフラグも用意することで、世代が増えていっても、何処から発生したネットワークかを常に追跡することができる。更に、上述のフラグを付けた会員に広告をクリックしたことが反映されるシステムを作る。
【００２６】
「広告について」
広告メールは、１日１通配信する。また、１つのメールに付き、１つの広告を載せる。１つのＵＲＬのクリックは、１回のクリックのみ有効とする。また、１つのバナーは、１日１クリックのみ有効とする。基本は、クリック保証の広告を配信し、成功保証の広告はサイトに並べておく。また、成功保証の広告は、ランダムに並べるのではなく、広告を系統別に分けて、それぞれの広告の内容を載せる。なお、商材によっては、例えば、４月の入学シーズンであれば、資格や講座の広告の特集を組んだり、旅行用の商材を集めて比較した特集を組むことにより、多くの商材から会員が選択し易いようにする。
【００２７】
「ポイントの管理・換金について」
ポイントは、例えば、１０ポイントで１円とし、サイト内ではポイントを単位として使用する。また会員は、例えば、１,０００円以上を換金できるようにする。更に、ポイントの有効期間は、最終アクセスの日より１ヶ月とする。換金の方法は、e-bank 等の口座番号を登録させて運営母体１０がその指定口座に振り込む方法をとる。振り込み手数料は、会員１２の負担とする。e-bank 同士は手数料が無料で、e-bank とは口座開設のアフィリエイト契約を結んでいるので、会員１２に向けてe-bank で口座を開設すると手数料が無料でかつポイントが貯まると云う広告を会員が換金する額（１０００円以上）が貯まった頃に配信する。
【００２８】
「ユーザーをサポートするぺージ」
会員登録、会員の利用を促すためにサイトをよりうまく利用するための解説ぺージを作成する。このぺージは、会員の立場になって効率よくポイントを稼ぐためにはどうしたら良いかを記載するぺージとする。例えば、自分の下に付く会員を紹介する方法。また、実際の成功例を掲載する（３０人いるサークルでみんなで始めたらこんなに広がってしまいました等）。更に、無料会員登録した際に、メール等がたくさん来るようになった場合の対策方法（メールにフィルタを掛けて、フォルダ分けする方法等）を紹介する。
【００２９】
「運営母体が管理に必要な機能の概要」
１．会員入会、紹介システム
会員が入会するためのシステムであり、紹介された人が紹介した人の下の世代になるシステムを組む。
２．ポイントバックシステム
会員が広告をクリックすると、ポイントを獲得できそのポイントを貯めることのできるシステムとする。また、そのポイントは、自分を紹介してくれた人及び、その上の紹介者の計３世代に還元までする。クリック保証に関しては、クリックがリアルタイムに反映されるシステムとする。ポイントは、ＩＤで管理しているので、１つのＩＤに対して１クリックのみを有効とし、多重クリックはポイントを獲得できない。成功保証については、アクセストレードのポイントバック機能を利用する。成功保証は、申し込み等のサイトにアクセスして申し込みが完了した時点で、獲得申請中ポイントとする。アクセストレードより正式にアフィリエイトが成立した旨の連絡が入った時点で、正式にポイントを溜めることができる。
３．会員用ぺージ
会員１２がそれぞれ、ＩＤとパスワードを使用して会員専用ぺージにログインし、現在自分の獲得ポイント数や紹介した第２世代、第３世代の人数を確認できるようにする。また、会員情報の変更手続、出金申請手続、成功保証の広告の設置等の手続を行いことができる。
４．出金システム
会員１２が自己の溜めたポイントを出金するためには、出金先口座を登録し、出金の請求のできるフォームを作成する。出来ればＳＳＬ対応がよい。振り込み作業は、ｗｅｂぺージ画面上で管理できるシステムであり、手作業で行う。
５．広告配信システム
会員１２に配信する広告を管理する。ポイントの設定やコードの付与の方法などが完全自動化まで行かなくても、ある程度、機械的に処理できるようにする。メール広告では、メールの作成、配信や開封率や広告クリック数などを管理する。サイトの広告では、ｗｅｂぺージの作成、アップロード、アクセス数などを管理する。
６．会員管理システム
会員の各種ログを閲覧管理出来るようにする。
【００３０】
「携帯電話版システム」
広告配信、還元の仕様
携帯電話を使用したシステムにおいては、ポイントが還元されるのは３世代までであり、１世代当たりの人数は無制限とする。広告還元率は広告料全体の約５０％を還元する。１人１広告当たり広告料の１７％とする。サイト内は、ポイントを単位として使用し、１０ポイントを１円とする。また、ポイントは最終アクセス日より、１ヶ月間を有効期限とする。
【００３１】
「管理メニュー」
管理メニューは、ＩＤ、パスワード、ＩＰアドレス等でロックを掛ける。会員の管理は、各種ログが取れるようにする。
会員検索（男・女）は、ＩＤ、メールアドレス、パスワード、携帯電話の機種、会員ステータス、年齢、都道府県、紹介された会員ＩＤ、紹介した会員ＩＤ、登録日時、最終アクセス日、自己ポイント額、紹介者ポイント額、換金額、入会時に取ったセグメント情報による検索等によって行うことができる。また、会員詳細は、ＩＤ、メールアドレス、パスワード、携帯電話の機種、会員ステータス、年齢、都道府県、紹介された会員ＩＤ、紹介した会員ＩＤ、登録日時、最終アクセス日、自己ポイント額、紹介者ポイント額、換金額、入会時に取ったセグメント情報、アクセスログ、ポイントログ、換金ログの表示等によって行うことができる。
【００３２】
「会員登録経路表示」
会員が紹介していった経路が第１世代からツリー状に表示される。第１世代はたくさんいるので、まず、検索で第１世代を表示し、その下の人数、最大の世代数を表示する。各世代の詳細では、その下の会員がツリー状に表示される。また、会員累計データは、会員ステータス、都道府県、セグメント情報の累計会員数を表示させる。
「ポイントバックシステム」
会員は、ポイントを貯めることによって報酬を得ることができる。ポイントは、会員を紹介した２世代上まで還元することができる。クリック保証は、リアルタイムに反映させる。成功保証は、申し込み等のアクションをした時点で申請中のポイントとして仮にポイントを貯めておき、アフィリエイト運営会社から決定が出た時点で正式にポイントを貯めることができる。また、ポイント管理画面は、全体の会員のポイント｛（クリック、成功保証（申請中、決定）｝について、未換金のポイントと換金済みのポイントを日別、月別に表示する。
【００３３】
「広告管理」
運営母体１０は、広告の管理を行う。また、広告管理画面では、メール用の広告の編集、追加、削除、サイト用の広告の編集、追加、削除を行うことができる。編集項目は、広告名、広告の内容、ＵＲＬの発行、ポイント額の設定を行う。
「メール配信管理」
広告管理で設定した広告をメールにして配信する。メールの作成は、メール本文の作成、広告管理で作成した広告をメール中に貼り付ける。また、メール配信の管理は、配信対象の選択、配信を予約して予約時間に自動で一斉に送信する配信スケジュール、メールの開封状況、広告のクリック状況の管理を行う。
「サイトの広告管理」
前記した広告管理で設定した広告をｗｅｂぺージとして発行する。広告ぺージの作成は、ぺージの雛形を作り、広告管理で作成した広告をぺージに貼り付け、必要な項目を入力することでぺージを作る。また、ぺージの公開は、作ったぺージをアップロードする。ｗｅｂぺージの閲覧状況のログは、広告別アクセス数、ぺージ別アクセス数、成功保証の達成数等とする。
「問い合わせ」
サイト宛に来た問い合わせメールの処理は、送受信した内容をログとして閲覧できるようにする。また、未処理メールがある場合には、それがすぐ分かるようにする。
【００３４】
「入出金管理」
出金管理は、会員からの出金請求が来るので、それを処理する。出金請求した会員のＩＤ，メールアドレス、名前、口座番号、出金額、残ポイント額を表示し、出金作業が手作業の場合は、出金作業が完了したものにチェックが入れられるようにする。入金管理は、アフィリエイト運営会社、広告代理店より実際に入金されたものを管理する。アフィリエイト管理は、アフィリエイトの総額とポイントバック状況、換金額を管理する。アフィリエイトとして成立している金額、ポイントとして会員に還元されている額、会員が換金した額、実際にアフィリエイト運営会社、広告代理店から入金された額を日別、月別に表示する。
【００３５】
「自サイト宣伝広告管理」
当サイトを宣伝するために、他サイトに広告を貼った時のアクセス、入会ログを表示する。広告コード別入会数、アクセス数は、広告別の入会、アクセス数の日別、月別ログの表示を行う。
【００３６】
「基本サイト」
基本サイトのトップぺージは、サイトのロゴ、サイトの基本的概念（完全無料、広告を見ればお金が貯まる。友達の友達のクリックが有効。このサイトを通じて、無料入会、資料請求、ショッピングを行った場合には、ポイントが大幅還元される。絶対安全な理由、２４時間出金対応、今すぐ無料登録、ドメイン指定受信について。）
「サービスの説明１」
お金の貯まる仕組みの説明。
運営母体１０から届くメールの広告にアクセスするだけで、お金が貯まります。更に、前記サイトを通じて、無料入会、資料請求などで一気にポイントが貯まる。また、紹介した友達、紹介した友達の友達の見た分まで貯まる。一般には、ＣＭには、たくさんのお金が掛かるが、直接会員に中間マージンを省いてメールを発送することで、浮いた分を会員に還元するもの。
「サービスの説明２」
サイトが安全で、完全に無料であることをアピールする。会員、運営母体、スポンサーの３者にそれぞれ利益のあるシステムである。
「広告の内容」
実際にメールで配信する広告の内容は、ｗｅｂぺージ上にも掲載する。また、成功保証については、ここからも入れるように設定する（ただし、ポイントは反映されない）。
【００３７】
「個人情報」
個人情報は、今日重要であるために安全性の観点から利用規約とは別に、取り扱いを定める。
「登録フォーム」
登録フォームは、ＩＤ、パスワード、メールアドレス、ＰＣ用メールアドレス、生年月日、郵便番号、性別、結婚、住まい（賃貸、マンション、１戸建て、親と同居）、年収（３００万円，５００万円，８００万円，１５００万円、１５００万円以上）、趣味（ＰＣ、インターネット、恋愛、旅行、映画、音楽、スポーツ、健康、グルメ、車、ショッピング、ペット、スキルアップ、住まい、マネー等）。  
「登録確認画面」
登録確認画面は、入力項目を確認させ、登録ボタンを押した段階で、メールを送信、メールのＵＲＬを押して本登録が完了する。本登録確認画面は、ログイン画面へリンクする。
「運営母体の概要」
運営母体の社名、代表者名、資本金、本店登録所在地、主要取引銀行、事業内容等を開示する。
【００３８】
「会員用ぺージ」
ログイン画面は、トップぺージに現在のポイント数、第２世代のトータル人数、第３世代のトータル人数、現在の獲得ポイントと獲得申請中のポイントを分けて表示する。自分の紹介した人のログ（第２世代）は、第２世代は直接自分の知り合いか、第１世代のホームぺージ等の宣伝から入会した会員なので、第２世代の各会員自体を匿名にして、その会員のポイント獲得状況、第３世代会員の獲得状況が見られるように設定する。ポイント獲得ログは、月別のポイント獲得ログを表示する。本人が獲得したポイントと第２、３世代からのポイントを月別にクリック保証と成功保証、成功保証の申請中に分けて表示する。成功保証の広告のあるぺージは、成功保証の広告をジャンル別に掲載する。また、おすすめの商材を集めたぺージを作成する。季節ものの特集（例えば、入学、就職特集、秋のグルメ特集、旅行特集など）ライフスタイルに合わせた特集（例えば、車であれば保険、中古車検索など。美容、ダイエット特集、ブロードバンド特集）を掲載する。成功保証のポイントは、一旦獲得申請中とし、決定後にポイントを貯めることができる。
【００３９】
紹介用のフォームは、会員用宣伝ぺージのＵＲＬの載ったメールが作成できる（mailto）。会員情報の変更は、メールアドレス、パスワード、趣味のカテゴリー等を変更できる。会員サポートぺージには、各サイトの攻略情報を掲載する。また、出金用ぺージ（ＳＳＬ対応）は、口座を入力し、貯まったポイントから出金する。手数料は、会員の負担とする。入力項目は、銀行名、支店名、口座番号、口座名義（銀行名、支店名は５０音順に検索して選ばせる。）出金用口座登録ぺージは、口座を一度登録すると、次からは金額を決めるだけで出金できる。銀行口座入力画面は、入力項目として銀行名、支店名、口座番号、口座名義を指定する。また、一定の金額になった時点で自動出金出来るようにしてもよい。退会用ぺージは、退会時に退会理由についてアンケートを取るように設定する。個人情報の取り扱いについては、個人情報を慎重に取り扱うことが要求されているので、別に利用規約を設ける。会社概要については、社名、代表者名、資本金、本店登録所在地、主要取引銀行、事業内容等を開示する。
【００４０】
「会員用宣伝ぺージ」
携帯版の場合、基本的にサイトと同様のぺージを表示させる。会員別にＩＤの付いたＵＲＬで会員の紹介であるか否かを判断する。
基本サイトのトップぺージは、サイトのロゴ、サイトの基本的概念（完全無料、広告を見ればお金が貯まる。友達の友達のクリックが有効。このサイトを通じて、無料入会、資料請求、ショッピングを行った場合には、ポイントが大幅還元される。絶対安全な理由、２４時間出金対応、今すぐ無料登録、ドメイン指定受信について。）
「サービスの説明１」
お金の貯まる仕組みの説明。
運営母体１０から届くメールの広告にアクセスするだけで、お金が貯まります。更に、前記サイトを通じて、無料入会、資料請求などで一気にポイントが貯まる。また、紹介した友達、紹介した友達の友達の見た分まで貯まる。一般には、ＣＭには、たくさんのお金が掛かるが、直接会員に中間マージンを省いてメールを発送することで、浮いた分を会員に還元するもの。
「サービスの説明２」
サイトが安全で、完全に無料であることをアピールする。会員、運営母体、スポンサーの３者にそれぞれ利益のあるシステムである。
「広告の内容」
実際にメールで配信する広告の内容は、ｗｅｂぺージ上にも掲載する。また、成功保証については、ここからも入れるように設定する（ただし、ポイントは反映されない）。
【００４１】
「個人情報」
個人情報は、今日重要であるために安全性の観点から利用規約とは別に、取り扱いを定める。
「登録フォーム」
登録フォームは、ＩＤ、パスワード、メールアドレス、ＰＣ用メールアドレス、生年月日、郵便番号、性別、結婚、住まい（賃貸、マンション、１戸建て、親と同居）、年収（３００万円，５００万円，８００万円，１５００万円、１５００万円以上）、趣味（ＰＣ、インターネット、恋愛、旅行、映画、音楽、スポーツ、健康、グルメ、車、ショッピング、ペット、スキルアップ、住まい、マネー等）。
「登録確認画面」
登録確認画面は、入力項目を確認させ、登録ボタンを押した段階で、メールを送信、メールのＵＲＬを押して本登録が完了する。本登録確認画面は、ログイン画面へリンクする。
「運営母体の概要」
運営母体の社名、代表者名、資本金、本店登録所在地、主要取引銀行、事業内容等を開示する。
【００４２】
尚、本発明のリードメールサービスは、上述の実施の形態に限定されることなく、本発明の特許請求の範囲に記載された範囲で種々の変更例が可能である。
【図面の簡単な説明】
【００４３】
【図１】図１は、本発明に係るリードメールサービスの基本構成を示す説明図である。
【図２】図２は、同リードメールサービスの相互関係を示す説明図である。
【図３】図３は、同リードメールサービスの出金請求手続を示す説明である。
【図４】図４は、同リードメールサービスの会員の世代関係を示す説明図である。
【図５】図５は、同リードメールサービスの各世代の人数と１人１ヶ月の還元額を示す説明図である。
【図６】図６（ａ）は、同リードメールサービスにおけるメールの一例、（ｂ）はサイトの広告の一例を示す説明図である。
【図７】図７は、同リードメールサービスにおける各スポンサーのアフィリエイト金額の例を示す説明図である。
【符号の説明】
【００４４】
１０      運営母体
１１      スポンサー
１２      会員
１３      子会員
１４      孫会員
【図１】
2007004345.tif 000003
【図２】
2007004345.tif 000004
【図３】
2007004345.tif 000005
【図４】
2007004345.tif 000006
【図５】
2007004345.tif 000007
【図６】
2007004345.tif 000008
【図７】
2007004345.tif 000009